(57)【要約】      （修正有）【課題】ペット間の好ましくない交尾を防止することができ、飼い主が器具の着脱を容易に行うことができ、ペットの動作に支障がなく、通気性に優れたペット用交尾防止具を提供する。【解決手段】カバー体１０と、バンド１１と、環状固定バンド１２とから構成され、カバー体１０はペットの腰臀部に装着することができ、さらに連結部材１５、環状固定バンド１２及び首輪１３が加わり、ペットに定位することがでる。カバー体１０によってペットの生殖器１８を完全に覆うことができ、ペット２が動いても容易に脱落することがなく、ペット２間の好ましくない交尾を防止することができる。【選択図】図５
0003111772.tif 000002
【実用新案登録請求の範囲】
【請求項１】
尾端部に網状を呈したカバー体を設け、このカバー体上に孔部を形成してこの孔部の周縁に紐を設置し、この紐上に調節部材を設け、
前記カバー体の両端に対称にバンドを接続し、このバンド上に環状固定バンドを設け、前記環状固定バンド上の前記バンドと交差する端部に接続紐を設けて、この接続紐の一端に鉤体を設置したことを特徴とするペット用交尾防止具。
【請求項２】
前記カバー体の内側底縁には、通気性を有する綿体が設置されていることを特徴とする請求項１記載のペット用交尾防止具。
【請求項３】
前記カバー体上には、接続部材が設けられていることを特徴とする請求項１記載のペット用交尾防止具。
【請求項４】
前記カバー体は、ズボン状の形状であることを特徴とする請求項１記載のペット用交尾防止具。
【請求項５】
前記カバー体及び環状固定バンド上には、それぞれ連結部材が設置されていることを特徴とする請求項１記載のペット用交尾防止具。
【請求項６】
前記カバー体、バンド及び環状固定バンド上には、それぞれ調整部材が設置されていることを特徴とする請求項１記載のペット用交尾防止具。
【請求項７】
前記鉤体の一端は、首輪に掛止されていることを特徴とする請求項１記載のペット用交尾防止具。
【考案の詳細な説明】
【技術分野】
【０００１】
本考案は、ペット用交尾防止具に係り、特にペット間の好ましくない交尾を防止することができ、飼い主が器具の着脱を容易に行うことができ、ペットの動作に支障がなく、しかも通気性に優れたペット用交尾防止具に関する。
【背景技術】
【０００２】
人類は、人口が増えすぎて資源不足に陥るのを防ぐという考えの下、産児制限の観念が生まれ、避妊やパイプカットなどの種々の方法が考案されている。  
一方、２０世紀後半から２１世紀に至って、地球上の多くの動物が絶滅の危機に瀕しているのは我々人類に原因がある。これらの動物を保護するために人類は、動物保護法を制定したり、過度の動物の捕殺を禁止する法律を制定したりして人類の行動を規制している。
【０００３】
ところで、我々人類にとって最も身近なペットである犬や猫は、我々の生活の一部となっているといっても言い過ぎではない。このようにペットを愛する人が多いのではあるが、一部には捨てられたりすることもあるというのが現状である。それにより環境汚染や病気が発生したりすることがあり、人類もそのことについての対策を考える必要がある。
【０００４】
犬等のペットに関しては、不必要な妊娠を避けるために、避妊手術以外にさらに多くの選択肢を考えるべきである。
【０００５】
図１、２は、従来技術によるペット用の交尾防止具を示す斜視図、及使用状態を示す斜視図である。図から分かるように、従来技術に係る交尾防止具１の後方の頂端には尾部孔１２が設けられている。この尾部孔１２の下方には、順に大孔１３及び小孔１４が設けられている。前記大孔１３及び小孔１４の周縁には、若干の突起１５が設けられている。後尾防止具１の両側には、電撃装置１６が設けられている。交尾防止器具１の頂端後方には、スイッチ１７が設けられており、このスイッチ１７が押圧されたとき、前記電撃装置１６に高圧の電流が流れる構造になっている。前記交尾防止具１の頂端前方には、電池１８が配置されるようになっており、前記電撃装置１６に電力を供給するようになっている。
【０００６】
しかしながら、前記従来技術によるペット用交尾防止具１は、ペットの腰臀部にだけしか装着できず、しかも容易に脱落し、不便である。また、このペット用交尾防止具は、設置されている突起１５によってペットが座ったときに該ペットに不快感を与えてしまっている。さらに、前記のように電撃装置１６が設けられているが、交尾しようとする他のペットがそれに抵触しなかったり、或いは電撃装置１６が濡れた場合、容易に漏電してしまい、装着しているペット自身が電気ショックを受けたりする虞がある。また、このような電気ショックを与える方法は、人道的にも好ましくはない。
【０００７】
図３、４は従来技術によるもう一つのペット用交尾防止具を示す斜視図、及び使用状態を示す斜視図である。図から分かるように、前記交尾防止具は薄いシート状のカバー部１１から構成されている。前記カバー部１１の上段には、貫通孔１２が形成され、このカバー部１１表面の貫通孔１２の下方には複数の通気孔１３が形成されている。また、カバー部１１の下縁部の両側からは、それぞれ環状固定バンド１４、１５が伸びており、この環状固定バンド１４、１５は係止機構１６によって係止されている。前記係止機構１６は、雌係止部材１６１及び雄係止部材１６０から構成されている。前記カバー部１１の上縁中央からは、定位バンド１７が伸びており、この定位バンド１７上にはバックル１８が設けられている。
【０００８】
しかしながら、前記従来技術によるペット用の交尾防止具１０はペットの腰臀部にしか装着できず、そのため容易に脱落し、不便である。
【考案の開示】
【考案が解決しようとする課題】
【０００９】
本考案はこれらの事情に鑑みてなされたもので、ペット間の好ましくない交尾を防止することができ、飼い主が器具の着脱を容易に行うことができ、しかもペットの動作に支障がなく、通気性に優れたペット用交尾防止具を提供することを目的とする。
【課題を解決するための手段】
【００１０】
前記目的を達成するため本考案によるペット用交尾防止具は、尾端部に網状を呈したカバー体を設け、このカバー体上に孔部を形成してこの孔部の周縁に紐を設置し、この紐上に調節部材を設け、
前記カバー体の両端に対称にバンドを接続し、このバンド上に環状固定バンドを設け、前記環状固定バンド上の前記バンドと交差する端部に接続紐を設けて、この接続紐の一端に鉤体を設置したことを特徴とする。
【００１１】
この構造により、ペットが好ましくない交尾をしたり、好ましくない交尾を受けたりすることを防止することができ、飼い主が器具の着脱を容易に行うことができ、ペットの動作に支障がなく、通気性に優れている。
【考案の効果】
【００１２】
本考案によれば、以下の効果を有する。
【００１３】
１．カバー体が生殖器を完全に覆うので、好ましくない交尾を完全に防止することができる。
【００１４】
２．ペット間の好ましくない交尾の発生を減少させることができるので、野良犬などの数を減少させることができる。
【００１５】
３．犬のことを考えた設計になっており、適時に犬に着脱できるので犬の数が増えすぎることのよる社会上の負担を軽減し、汚染を防ぐことができる。
【００１６】
４．カバー体がペット及び犬の生殖器を完全に覆うので、生殖器が雑菌に感染するのを防ぐことができる。
【００１７】
５．本考案の交尾防止具を犬に装着することにより、飼い主が犬に接触し過ぎることによって病気に感染することを防ぐことができる。
【００１８】
６．ペットが生理中でもカバー体内に綿体を設置することができ、ペットは優れた装着感を得ることができる。
【００１９】
７．犬などは体毛が多いので蒸れやすいが、本考案の交尾防止具においてはカバー体及び綿体を通気性の優れた網状の設計にすることができるので、犬などは装着時に優れた装着感を得ることができる。
【００２０】
８．カバー体内に設置した綿体が尿を吸収できるので、尿が漏れて室内外や車内を汚すことを防ぐことができる。
【考案を実施するための最良の形態】
【００２１】
以下、図面を参照して本考案の実施例を説明する。
【実施例】
【００２２】
図５ないし図８は本考案の実施例に係り、図５はペット用交尾防止具の使用前の様子を示す図、図６は使用前の様子を示す一部分解図、図７は使用状態を示す背面図、図８は使用状態を示す斜視図である。
【００２３】
図から分かるように、ペット用交尾防止具１は、カバー体１０と、バンド１１と、環状固定バンド１２とから構成されており、さらに首輪１３を加えることができる。前記交尾防止具１の尾端部には、ペット２の腰臀部の形状のカバー体１０が設けられている。前記カバー体１０は、網状を呈する構造に構成されている。前記カバー体１０は、平らなシート状またはズボン状の形状に形成される。前記カバー体１０のバンド１１と接続される部分には、接続部材１９を設置してカバー体１０を取り外し可能な形態に構成している。
【００２４】
また、ペット２が生理のときは、前記カバー体１０の内側底縁に綿体１００を設置することができ、前記綿体１００はペット２の生殖器１８の位置に対応する位置に設置され、ペット２の分泌液を吸収し、交換、洗浄を適時に行うことができる。前記綿体１００は、摩擦係数の低い材質からなり、通気性を有する網状の構造に構成される。前記カバー体１０上には、孔部１０１が形成されており、前記孔部１０１にペット２の尾部２１を設置し、肛門１７からの排泄に使用することができる。前記孔部１０１の周縁には、紐１０１０が設置されており、前記紐１０１０上には調節部材１０１１が設置されており、孔部１０１周縁の紐１０１０に前記調節部材１０１１が加わり、ペット２の体型、尾部２１の太さ、肛門１７の位置などによって円周の長さを調節することができるようになっっている。さらに、前記調節部材１０１１は、バンド１１の内側に収納することができる。
【００２５】
前記カバー体１０の両端には、対称にバンド１１が接続されている。前記バンド11上には、調整部材１６が設置され、この調整部材１６はバンド１１の長さを調整する機能を有して、カバー体１０の位置をペット２の大きさや身長に応じて調整することができ、ペット２にカバー体１０を装着したとき、最も優れた装着感を得ることができるようになっている。前記バンド１１上には、環状固定バンド１２が設けられている。前記環状固定バンド１２は、ペット２の腹部に装着し、交尾防止器具１がペット２から脱落しないようにすることができる。前記環状固定バンド１２上には、連結部材１５が設置され、この連結部材１５によって交尾防止具１の迅速な着脱を行うことができるようになっている。前記連結部材１５は、係止する方式または貼合する方式を採用することができる。前記環状固定バンド１２には、それぞれ調整部材１６が設置されており、前記調整部材１６は環状固定バンド１２の長さを調整する機能を有して、ペット２の体型の大きさに合わせて適度に調整をすることができ、それによりペット２に交尾防止器具１を装着したとき、最も優れた装着感を得ることができるようになっている。
【００２６】
前記環状固定バンド１２上の前記バンド１１と交差する端部には、Ｖ字型に接続紐１２０が設けられている。前記Ｖ字型の接続紐１２０の一端には、それぞれ鉤体１４が設置され、この鉤体１４の一端は首輪１３に掛止することができるようになっている。前記首輪１３は、ペット２の頚部２３に設置され、この首輪１３は前記鉤体１４に掛止されていることにより、ペット２の頚部上で回動することがなく、前記首輪１３は着脱させやすい形状にすることができる。前記首輪１３上には複数の首輪孔１３０を設置して、この首輪孔１３０に前記鉤体１４を掛止することができる。ペット２がすでに前記首輪１３と同等効果の物を装着している場合においても、前記鉤体１４を掛止することができる。
【００２７】
上記実施例は、本考案の好適な一つの実施形態を示したものであり、本考案においては、広い範囲において異なる実施形態が、考案の精神及び範囲から逸脱することなく、本考案に基づいて、構成できることは明白である。本考案は、添付の実用新案登録請求の範囲によって限定される以外は、その特定の実施例によっては制約されない。
【図面の簡単な説明】
【００２８】
【図１】従来技術によるペット用の交尾防止器具を示す斜視図である。
【図２】図１のペット用の交尾防止器具の使用状態を示す斜視図である。
【図３】従来技術によるもう一つのペット用の交尾防止器具を示す斜視図である。
【図４】図３のペット用の交尾防止器具の使用状態を示す斜視図である。
【図５】本考案によるペット用の交尾防止器具の使用前の様子を示す図である。
【図６】本考案によるペット用の交尾防止器具の使用前の様子を示す一部分解図である。
【図７】本考案によるペット用の交尾防止器具の使用状態を示す後面図である。
【図８】本考案によるペット用の交尾防止器具の使用状態を示す斜視図である。
【符号の説明】
【００２９】
１      交尾防止器具
１０    カバー体
１００  綿体
１０１  孔部
１０１０紐
１０１１調節部材
１１    バンド
１２    環状固定バンド
１２０  接続紐
１３    首輪
１３０  首輪孔
１４    鉤体
１５    連結部材
１６    調整部材
１７    肛門
１８    生殖器
１９    接続部材
２      ペット
２０    脚部
２１    尾部
２２    腹部
２３    頚部
代理人    弁理士    伊  藤    進
【図１】
0003111772.tif 000003
【図２】
0003111772.tif 000004
【図３】
0003111772.tif 000005
【図４】
0003111772.tif 000006
【図５】
0003111772.tif 000007
【図６】
0003111772.tif 000008
【図７】
0003111772.tif 000009
【図８】
0003111772.tif 000010